(57)【特許請求の範囲】
【請求項１】
厚さ方向の一方の面である表面を光入射面とする一定厚さの透明な板状の基材を備え、
前記基材の前記光入射面と反対の面である裏面にデザイン化された装飾模様が形成されており、
前記装飾模様は、前記基材の裏面に沿い所定のピッチで行列方向に連続して配列され、かつ前記光入射面から離れる方向に三次元形状に膨出された高さの異なる複数の反射部で構成され、さらに互いに隣接する各行の前記反射部は該反射部の配列ピッチに相当する１ピッチ分列方向にずらして配列されているとともに前記各反射部の空気との界面である三次元形状の表面は凹状反射面を呈し、
前記光入射面から前記基材に入射された入射光を前記三次元形状の凹状反射面により前記光入射面側へ向け反射することで当該反射光の輝度に不規則に変化する１／ｆゆらぎを与えて前記装飾模様に光の明暗を生じさせるように構成され、
前記各反射部の前記凹状反射面に、前記基材に前記光入射面から入射されて前記凹状反射面に達した光から可視領域の任意波長の光を回折光として分光し該回折光の波長に対応する色に前記装飾模様を発色する回折格子が前記凹状反射面の全面に亘り一定のピッチで形成されている、
ことを特徴とする装飾用パネル。
【請求項２】
前記回折格子は、三角波状溝、鋸歯状溝、正弦波状溝、矩形状溝の何れかもしくはこれら溝の組み合わせからなることを特徴とする請求項１記載の装飾用パネル。
【請求項３】
前記各反射部の前記凹状反射面は、三角型、台形型、半球型、半楕円球型及び波型からなる群から選択された凹状の三次元形状を呈する面で構成されていることを特徴とする請求項１または２記載の装飾用パネル。
【請求項４】
前記基材の前記光入射面に、加飾用の模様パターンを有する半透明もしくは透明な加飾層が形成されていることを特徴とする請求項１乃至３の何れか一項に記載の装飾用パネル。
【請求項５】
前記基材は有色透明な材質であることを特徴とする請求項１記載の装飾用パネル。
【請求項６】
前記回折格子を構成する前記三角波状溝、鋸歯状溝、正弦波状溝、矩形状溝の表面は反射膜でコーティングされている特徴とする請求項１または２記載の装飾用パネル。
【発明の詳細な説明】
【技術分野】
【０００１】
本発明は、車両用インストルメントパネルの装飾または家具の扉表面や引き出し用鏡板の装飾、携帯電話機本体の表面の装飾、電化製品の表面の装飾などに使用される装飾用パネルに関し、さらに詳しくは、光透過性基材に形成された装飾用の模様パターンを可視領域の色光を利用して任意の色で輝光表示できるようにした装飾用パネルに関するものである。
【背景技術】
【０００２】
従来の装飾用パネル、例えば自動車用装飾パネルとして、乗用車の後部端のリアコンビネーションランプ間に装着されるガーニッシュが知られている（特許文献１参照）。
この種の装飾パネルは、アクリル等の透明な合成樹脂材からなるカバーと、このカバーを自動車の車体に取り付けるための取付基材とを備え、カバーの外表面は平滑な面に加工されているとともに取付基材と相対向する内表面には細かい凹凸模様（シボ）が形成されている。また、カバーの内表面と相対向する取付基材の表面には平面的に連続した凹球状の魚眼を形成し、さらに、この凹球状の魚眼にシルバーメタリック塗料を塗布してメタリック塗膜面を形成する。
このような装飾パネルにおいては、カバーを透過した光はカバー内表面の細かい凹凸模様（シボ）により複雑に散乱され、この散乱光が取付基材のメタリック塗膜面に入射されると、凹球状の魚眼形状からくる凹面鏡の作用によって、その入射光の反射の乱れが集約された反射光となり、これにより、フレネルレンズの効果を出して、奥行きの深さを表現できる装飾パネルを提供できるようにしている。
【特許文献１】特開平４−７８６３２号公報
【発明の開示】
【発明が解決しようとする課題】
【０００３】
しかし、このような従来の装飾パネルは、細かい凹凸模様を有するカバーと、このカバーと対向する表面に形成した凹球状の魚眼にシルバーメタリック塗料を塗布してなるメタリック塗膜面を有する取付基材とから構成されるものであるため、乗用車のガーニッシュなどには好適であるものの、車両用インストルメントパネルの装飾または家具の扉表面や引き出し用鏡板の装飾、携帯電話機本体の表面の装飾などに用いられる装飾パネルには不向きである。なぜならば、装飾パネルはカバーと取付基材とを空間を介して対向配置される構造であるため、装飾パネル自体が厚くなって薄型化できないほか、装飾パネルの構成部品点数が多くなり、コスト高になるという問題がある。
【０００４】
また、従来の装飾パネルを構成する取付基材のメタリック塗膜面は凹球状の凹面鏡からなり、この凹面鏡でカバーの凹凸模様で散乱されて入射される光を集約された反射光、すなわち凹面鏡の大きさに応じた径のスポット光として反射するものであるため、このスポット状反射光の輝度はほとんど均一であるとともに、装飾パネルに対し視点を変えてもスポット光の輝度は変化しない。その結果、インストルメントパネルやドアートリムなどの自動車内装部品の装飾や電化製品などの装飾には変化が乏しく、かつ見栄えが低いという問題があった。
【０００５】
本発明は上記のような従来の問題を解決するためになされたもので、光透過性基材に形成された装飾模様を可視領域の光を利用して任意の色に発色表示できるとともに、変化に富んだ見栄えの良い光学的装飾を可能にし、併せて見る者の視覚に作用して、癒し、くつろぎ、または安らぎを与える光学的装飾効果を発揮できる装飾用パネルを提供することを目的とする。
【課題を解決するための手段】
【０００６】
上記の目的を達成するために請求項１の発明は、装飾用パネルであって、厚さ方向の一方の面である表面を光入射面とする一定厚さの透明な板状の基材を備え、前記基材の前記光入射面と反対の面である裏面にデザイン化された装飾模様が形成されており、前記装飾模様は、前記基材の裏面に沿い所定のピッチで行列方向に連続して配列され、かつ前記光入射面から離れる方向に三次元形状に膨出された高さの異なる複数の反射部で構成され、さらに互いに隣接する各行の前記反射部は該反射部の配列ピッチに相当する１ピッチ分列方向にずらして配列されているとともに前記各反射部の空気との界面である三次元形状の表面は凹状反射面を呈し、前記光入射面から前記基材に入射された入射光を前記三次元形状の凹状反射面により前記光入射面側へ向け反射することで当該反射光の輝度に不規則に変化する１／ｆゆらぎを与えて前記装飾模様に光の明暗を生じさせるように構成され、前記各反射部の前記凹状反射面に、前記基材に前記光入射面から入射されて前記凹状反射面に達した光から可視領域の任意波長の光を回折光として分光し該回折光の波長に対応する色に前記装飾模様を発色する回折格子が前記凹状反射面の全面に亘り一定のピッチで形成されていることを特徴とする。
【０００７】
請求項２の発明は、請求項１記載の装飾用パネルにおいて、前記回折格子は、三角波状溝、鋸歯状溝、正弦波状溝、矩形状溝の何れかもしくはこれら溝の組み合わせからなることを特徴とする。
【０００８】
請求項３の発明は、請求項１記載の装飾用パネルにおいて、前記反射部は、三角型、台形型、半球型、半楕円球型及び波型からなる群から選択された三次元形状を呈していることを特徴とする。
【０００９】
請求項４の発明は、請求項１乃至３の何れか一項に記載の装飾用パネル前記基材の前記光入射面に、加飾用の模様パターンを有する半透明もしくは透明な加飾層が形成されていることを特徴とする。
【００１０】
請求項５の発明は、請求項１記載の装飾用パネルにおいて、前記基材は有色透明な材質であることを特徴とする。
【００１１】
請求項６の発明は、請求項１または２記載の装飾用パネルにおいて、前記回折格子を構成する前記溝の表面は反射膜でコーティングされている特徴とする。
【発明の効果】
【００１２】
本発明の装飾用パネルによれば、基材の光入射面と反対の面である裏面に形成された装飾模様は、基材の光入射面から離れる方向に三次元形状に膨出された高さの異なる複数の反射部で構成され、さらに互いに隣接する各行の反射部は、反射部の配列ピッチに相当する１ピッチ分列方向にずらして配列されているとともに各反射部の空気との界面である三次元形状の表面は凹状反射面として形成され、この各反射部の凹状反射面により反射される光の輝度に不規則に変化する１／ｆゆらぎを与えて装飾模様に光の明暗を付け、さらに、三次元形状の凹状反射面には回折格子を形成し、この回折格子により、基材に入射される入射光から可視領域の任意波長の光を回折光として分光し、この回折光の波長に対応する色に装飾模様を発色するように構成したので、基材に形成された装飾模様を可視領域の光を利用して任意の色に発色光表示させることができるとともに、装飾模様に１／ｆゆらぎによる変化に富んだ見栄えの良い光学的装飾を可能にし、併せて見る者の視覚に作用して、癒し、くつろぎ、または安らぎを与える光学的装飾効果を発揮できる。
【００１３】
また、本発明の装飾用パネルによれば、基材の光入射側表面に、模様パターンを有する加飾層を形成したので、加飾層の模様パターンに反射面で生成された反射光による１／ｆゆらぎのランダムに変化する光の明暗が付加され、これにより、装飾模様に立体感を付与し、より見栄えの良い装飾用パネルを提供できる。
また、本発明の装飾用パネルによれば、基材を有色透明な材質で成形することにより、装飾用パネルの見栄えを色彩の面から強調することができる。
また、本発明の装飾用パネルによれば、回折格子を構成する溝の表面を反射膜でコーティングしたので、回折光の回折効率を向上できる。
【発明を実施するための最良の形態】
【００１４】
（実施の形態１）
次に、本発明にかかる装飾用パネルの実施の形態について図面を参照して説明する。
なお、本発明の装飾用パネルは、以下に説明する実施の形態に限定されるものではない。
【００１５】
図１は本発明にかかる実施の形態１を示す装飾用パネルの平面図、図２は図１の２−２線に沿う拡大断面図、図３は本実施の形態１における装飾用パネルの回折格子を省略した三次元形状の反射面を基材の裏面側から見た時の一例を示す一部の拡大斜視図、図４は図３の４−４線に沿う拡大断面図、図５は図３の５−５線に沿う拡大断面図、図６は本実施の形態１における装飾用パネルの三次元形状の反射面及び回折格子の光に対する作用を模式的に示す説明用断面図である。
【００１６】
本実施の形態１に示す装飾用パネル１０は、図１及び図２に示すように、アクリルやポリカーボネートなどの透明な合成樹脂材またはガラス等の透明材からなる一定厚さの板状の基材１１を備える。この基材１１の光入射側の面（表面）１１ａと反対の面である裏面１１ｂには、例えばモルフォ蝶をデザイン化してなる装飾模様１２が形成されており、さらに、この装飾模様１２の表面（空気との界面）を含む基材１１の裏面１１ｂのうち、少なくとも装飾模様１２の表面（空気との界面）には、装飾模様１２を含む装飾用パネル１０全体をカラー表示するための回折格子１３が形成されている。
【００１７】
なお、装飾用パネル１０の照明光１５には、各種照明灯の光または太陽光等の自然光などが用いられる。
【００１８】
前記装飾模様１２は、図３〜図５に示すように、基材１１の表面１１ａから入射される入射光（照明光１５）を反射しまたは透過するとともに当該反射する光の輝度に１／ｆゆらぎの明暗を生じさせて装飾模様１２に光の明暗を付けるための三次元形状の反射部１２１を基材１１の裏面１１ｂに沿い二次元方向に所定のピッチＬ（例えば１０ｍｍ程度）で形成することにより構成される。
【００１９】
前記回折格子１３は、基材１１の表面１１ａから入射される可視領域の入射光から任意波長の光、例えば赤、緑、青などに相当する特定の波長の光を回折光として分光し、この回折光の波長に対応する色に装飾模様１２を発色するものであり、図４及び図５に示すように三角波状溝を呈している。また、この回折格子１３を構成する三角波状溝１３ａのピッチＰは１μ〜２μ程度である。
【００２０】
次に、三次元形状の反射部１２１で生成される反射光の輝度に不規則に変化する明暗を生じさせる場合の具体例について図３〜図５を参照して説明する。
【００２１】
三次元形状の反射部１２１は、図３に示すように、三角屋根型の基本形状を呈し、この基本形状に１／ｆゆらぎを付与することにより、図４及び図５に示すように、三角屋根型の三次元形状に造形された凹状反射面１２１ａから構成される。この凹状反射面１２１ａは、その反射による輝度に木漏れ日または小川の水の流れに似た不規則に変化する明暗を生じせるものであり、その形状は下記の数１の式に示す１／ｆゆらぎの関数ｆ（ｘ）より決定される。
【００２２】
【数１】
0005351412.tif 000002
【００２３】
すなわち、１／ｆゆらぎの関数ｆ（ｘ）で決定される凹状反射面１２１ａは、周波数の違う複数のサイン曲線（２ｉｘ：周波数）に適当な係数２−ｉ（２−ｉ：振幅）をかけて加算した形状となる。これをグラフに表すと図７に示す曲線７１１のようになる。また、符号７１２は周波数の異なる複数のサイン曲線を示す。
【００２４】
上記三次元形状の反射部１２１は、図３〜図５に示すように、予め決めた一定の間隔Ｌ（０<Ｌ<１０ｍｍ）で行、列方向に連続して配列され、そして、互いに隣接する各行の凹状反射部１２１ｃは列方向に１Ｌ分ずらして配列されている。また、凹状反射面１２１ａの深さｈは、０≦ｈ≦２０ｍｍの範囲に設定される。また、凹状反射面１２１ａの反射角θ１は、その材質がポリカーボネートの場合、約４０度であり、凹状反射面１２１ａの傾斜角θ２は、０≦θ２≦９０°の範囲に設定される。
【００２５】
このような凹状反射面１２１ａには、図４及び図５に示すように三角波状溝を呈する回折格子１３が形成されている。
このような本実施の形態１に示す装飾用パネル１０において、図２に示すように、基材１１の光入射側の面（表面）１１ａが照明光１５により照射されると、この照明光１５は図６に示すように入射光１５ａとなって基材１１内を進行し多数の三次元形状の凹状反射部１２１ａ及び回折格子１３に達する。ここで、回折格子１３に入射した可視領域の入射光１５ａから、回折格子１３の溝深さとデューティ比（溝周期に対する溝幅）などで決まる波長の光、例えば赤、緑、青などに相当する特定の波長の光が回折により分光され、この分光された回折光１５ｂが基材１１の表面１１ａから出射される。
【００２６】
一方、回折格子１３は三次元形状の凹状反射部１２１ａに形成されているため、この回折格子１３で回折されて出射する回折光１５ｂの輝度を凹状反射面１２１ａの形状及び配列状態に応じて変化させる。すなわち、基材１１の表面１１ａから出射される回折光１５ｂの輝度は１／ｆゆらぎの関数ｆ（ｘ）に応じて不規則に変化する明暗パターンを生じさせるとともに光波長のシフトによる色収差を生じさせる。これにより、装飾用パネル１０の表面には、図１に示すモルフォ蝶をデザイン化してなる装飾模様１２が回折格子１３で分光された回折光色、例えば青色に発色されて表示される。すなわち、基材１１の表面１１ａには、凹状反射面１２１ａに応じて不規則に変化する光の明暗と回折格子１３で分光された光色とが合成された濃淡色に装飾模様１２が発色することになる。
【００２７】
上記のような本実施の形態１に示す装飾用パネル１０によれば、基材１１の光入射側である表面１１ａと反対の面である裏面１１ｂに多数の三角屋根型を呈する三次元形状の凹状反射面１２１ａを基材１１の裏面１１ｂに沿い二次元方向に連続して配列することで装飾模様１２を構成し、凹状反射面１２１ａの空気との界面には回折格子１３を形成し、この回折格子１３により基材１１の表面１１ａに入射される可視領域の入射光１５ａから、回折格子１３の溝深さとデューティ比（溝周期に対する溝幅）などで決まる特定波長の光を回折により分光し、この分光された回折光を基材１１の表面１１ａから出射することで装飾模様１２を発色するとともに、回折光１５ｂによる装飾模様１２の発色輝度に凹状反射面１２１ａの１／ｆゆらぎの関数ｆ（ｘ）に応じて変化する明暗を生じさせるように構成したので、基材１１に形成された装飾模様１２を可視領域の光を利用して任意の色に発色できるとともに、装飾模様１２の表示色に１／ｆゆらぎの関数ｆ（ｘ）に応じた濃淡を付与することができ、これにより、装飾用パネル１０に対して１／ｆゆらぎによる変化に富んだ見栄えの良い光学的装飾を施すことができ、併せて装飾用パネル１０を見る者の視覚に作用して、癒し、くつろぎ、または安らぎを与える光学的装飾効果を発揮させることができる。
（実施の形態２）
【００２８】
次に、本発明にかかる装飾用パネルの実施の形態２について図８〜図１０を参照して説明する。
図８は本実施の形態２における装飾用パネルの回折格子を省略した三次元形状の反射部を基材の裏面側から見た時の他の例を示す一部拡大斜視図、図９は図８の８−８線に沿う拡大断面図、図１０は図８の１０−１０線に沿う拡大断面図である。
この実施の形態２に示す装飾用パネル２０は、図８に示すように、アクリルやポリカーボネートなどの透明な合成樹脂材またはガラス等の透明材からなる一定厚さの板状の基材２１を備える。この基材２１の光入射側の面（表面）２１ａと反対の面である裏面２１ｂには、例えばモルフォ蝶などをデザイン化してなる装飾模様２２が形成されている。さらに、この装飾模様２２の表面（空気との界面）を含む基材２１の裏面２１ｂのうち、少なくとも装飾模様２２の表面（空気との界面）には、装飾模様２２を含む装飾用パネル２０全体をカラー表示するための回折格子２３が形成されている。
【００２９】
なお、装飾用パネル２０の照明光１５には、各種照明灯の光または太陽光等の自然光などが用いられる。
前記装飾模様２２は、図９及び図１０に示すように、基材２１の表面２１ａから入射される入射光（照明光１５）を反射しまたは透過するとともに当該反射する光の輝度に１／ｆゆらぎの明暗を生じさせて装飾模様２２に光の明暗を付けるために台形屋根型を呈する三次元形状の反射部２２１を基材２１の裏面２１ｂに沿い二次元方向に所定のピッチＬ（例えば１０ｍｍ程度）で形成することにより構成される。
【００３０】
前記回折格子２３は、基材２１の表面２１ａから入射される可視領域の入射光から任意波長の光、例えば赤、緑、青などに相当する特定の波長の光を回折光として分光し、この回折光の波長に対応する色に装飾模様２２を発色するものであり、図９及び図１０に示すように三角波状溝を呈している。また、この回折格子２３を構成する三角波状溝２３ａのピッチＰは１μ〜２μ程度である。
【００３１】
次に、三次元形状の反射部２２１で生成される反射光の輝度に不規則に変化する明暗を生じさせる場合の具体例について、図９及び図１０を参照して説明する。
三次元形状の反射部２２１は、図９に示すように、台形屋根型の基本形状を呈し、この基本形状に１／ｆゆらぎを付与することで、図８〜図１０に示すように、台形屋根型の三次元形状に造形された、二次元方向に連続する凹状反射面２２１ａから構成される。この凹状反射面２２１ａは、その反射による輝度に木漏れ日または小川の水の流れに似た不規則に変化する明暗を生じせるものであり、その形状は、上記数２の式に示す１／ｆゆらぎの関数ｆ（ｘ）より決定される。
【００３２】
すなわち、１／ｆゆらぎの関数ｆ（ｘ）で決定される凹状反射面２２１ａは、周波数の違う複数のサイン曲線（２ｉｘ：周波数）に適当な係数２−ｉ（２−ｉ：振幅）をかけて加算した形状となる。
上記三次元形状の反射部２２１は、図８〜図１０に示すように、予め決めた一定の間隔Ｌ（０<Ｌ<１０ｍｍ）で行、列方向に連続して配列され、そして、互いに隣接する各行の微小反射部２２１ｃは列方向に１Ｌ分ずらして配列されている。また、凹状反射面２２１ａの深さｈは、０≦ｈ≦２０ｍｍの範囲に設定される。また、凹状反射面２２１ａの反射角θ１は、その材質がポリカーボネートの場合、約４０度であり、凹状反射面２２１ａの傾斜角θ２は、０≦θ２≦９０°の範囲に設定される。
【００３３】
このような第２の実施の形態に示す装飾用パネル２０において、図９及び図１０に示すように、基材２１の光入射側の面（表面）２１ａが照明光１５により照射されると、この照明光１５は入射光１５ａとなって基材２１内を進行し多数の三次元形状の凹状反射部２２１ａ及び回折格子２３に達する。ここで、回折格子２３に入射した可視領域の入射光１５ａから、回折格子２３の溝深さとデューティ比（溝周期に対する溝幅）などで決まる波長の光、例えば赤、緑、青などに相当する特定の波長の光が回折により分光され、この分光された回折光１５ｂが基材２１の表面２１ａから出射される。
【００３４】
一方、回折格子２３は三次元形状の凹状反射部２２１ａに形成されているため、この回折格子２３で回折されて出射する回折光１５ｂの輝度を凹状反射面２２１ａの形状及び配列状態に応じて変化させる。すなわち、基材２１の表面２１ａから出射される回折光１５ｂの輝度は１／ｆゆらぎの関数ｆ（ｘ）に応じて不規則に変化する明暗パターンを生じさせるとともに光波長のシフトによる色収差を生じさせる。これにより、装飾用パネル２０の表面には、図１に示すモルフォ蝶をデザイン化してなる装飾模様２２が回折格子２３で分光された回折光色、例えば青色に発色されて表示される。すなわち、基材２１の表面２１ａには、凹状反射面２２１ａに応じて不規則に変化する光の明暗と回折格子２３で分光された光色とが合成された濃淡色に装飾模様２２が発色することになる。
【００３５】
上記のような本実施の形態２に示す装飾用パネル２０によれば、基材２１の光入射側である表面２１ａと反対の面である裏面２１ｂに多数の台形屋根型を呈する三次元形状の凹状反射面２２１ａを基材２１の裏面２１ｂに沿い二次元方向に連続して配列することで装飾模様２２を構成し、凹状反射面２２１ａの空気との界面には回折格子２３を形成し、この回折格子２３により基材２１の表面２１ａに入射される可視領域の入射光１５ａから、回折格子２３の溝深さとデューティ比（溝周期に対する溝幅）などで決まる特定波長の光を回折により分光し、この分光された回折光を基材２１の表面２１ａから出射することで装飾模様２２を発色するとともに、回折光１５ｂによる装飾模様２２の発色輝度に凹状反射面２２１ａの１／ｆゆらぎの関数ｆ（ｘ）に応じて変化する明暗を生じさせるように構成したので、基材２１に形成された装飾模様２２を可視領域の光を利用して任意の色に発色できるとともに、装飾模様２２の表示色に１／ｆゆらぎの関数ｆ（ｘ）に応じた濃淡を付与することができ、これにより、装飾用パネル２０に対して１／ｆゆらぎによる変化に富んだ見栄えの良い光学的装飾を施すことができ、併せて装飾用パネル２０を見る者の視覚に作用して、癒し、くつろぎ、または安らぎを与える光学的装飾効果を発揮させることができる。
（実施の形態３）
【００３６】
次に、本発明にかかる装飾用パネルの実施の形態３について図１１〜図１３を参照して説明する。
図１１は本実施の形態３における装飾用パネルの回折格子を省略した三次元形状の反射部を基材の裏面側から見た時の他の例を示す一部拡大斜視図、図１２は図１１の１２−１２線に沿う拡大断面図、図１３は図１１の１３−１３線に沿う拡大断面図である。
この実施の形態３に示す装飾用パネル３０は、図１１に示すように、アクリルやポリカーボネートなどの透明な合成樹脂材またはガラス等の透明材からなる一定厚さの板状の基材３１を備える。この基材３１の光入射側の面（表面）３１ａと反対の面である裏面３１ｂには、例えばモルフォ蝶などをデザイン化してなる装飾模様３２が形成されている。さらに、この装飾模様３２の表面（空気との界面）を含む基材３１の裏面３１ｂのうち、少なくとも装飾模様３２の表面（空気との界面）には、装飾模様３２を含む装飾用パネル３０全体をカラー表示するための回折格子３３が形成されている。
【００３７】
なお、装飾用パネル３０の照明光１５には、各種照明灯の光または太陽光等の自然光などが用いられる。
前記装飾模様３２は、図１２及び図１３に示すように、基材３１の表面３１ａから入射される入射光（照明光１５）を反射しまたは透過するとともに当該反射する光の輝度に１／ｆゆらぎの明暗を生じさせて装飾模様３２に光の明暗を付けるために半球型を呈する三次元形状の反射部３２１を基材３１の裏面３１ｂに沿い二次元方向に所定のピッチＬ（例えば１０ｍｍ程度）で形成することにより構成される。
【００３８】
前記回折格子３３は、基材３１の表面３１ａから入射される可視領域の入射光から任意波長の光、例えば赤、緑、青などに相当する特定の波長の光を回折光として分光し、この回折光の波長に対応する色に装飾模様２２を発色するものであり、図１２及び図１３に示すように三角波状溝を呈している。また、この回折格子３３を構成する三角波状溝３３ａのピッチＰは１μ〜２μ程度である。
【００３９】
次に、三次元形状の反射部３２１で生成される反射光の輝度に不規則に変化する明暗を生じさせる場合の具体例について、図１２及び図１３を参照して説明する。
三次元形状の反射部３２１は、図１２に示すように、半球型の基本形状を呈し、この基本形状に１／ｆゆらぎを付与することで、図１１〜図１３に示すように、半球型の三次元形状に造形された、二次元方向に連続する凹状反射面３２１ａから構成される。この凹状反射面３２１ａは、その反射による輝度に木漏れ日または小川の水の流れに似た不規則に変化する明暗を生じせるものであり、その形状は、上記数１に示す１／ｆゆらぎの関数ｆ（ｘ）より決定される。
すなわち、１／ｆゆらぎの関数ｆ（ｘ）で決定される凹状反射面３２１ａは、周波数の違う複数のサイン曲線（２ｉｘ：周波数）に適当な係数２−ｉ（２−ｉ：振幅）をかけて加算した形状となる。
【００４０】
上記三次元形状の反射部３２１は、図１１〜図１３に示すように、予め決めた一定の間隔Ｌ（０<Ｌ<１０ｍｍ）で行、列方向に連続して配列され、そして、互いに隣接する各行の凹状反射部３２１ｃは列方向に１Ｌ分ずらして配列されている。また、凹状反射面３２１ａの深さｈは、０≦ｈ≦２０ｍｍの範囲に設定される。また、凹状反射面３２１ａの反射角θ１は、その材質がポリカーボネートの場合、約４０度であり、凹状反射面３２１ａの傾斜角θ２は、０≦θ２≦９０°の範囲に設定される。
【００４１】
このような第３の実施の形態に示す装飾用パネル３０において、図１２及び図１３に示すように、基材３１の光入射側の面（表面）３１ａが照明光１５により照射されると、この照明光１５は入射光１５ａとなって基材３１内を進行し多数の三次元形状の凹状反射部３２１ａ及び回折格子３３に達する。ここで、回折格子３３に入射した可視領域の入射光１５ａから、回折格子３３の溝深さとデューティ比（溝周期に対する溝幅）などで決まる波長の光、例えば赤、緑、青などに相当する特定の波長の光が回折により分光され、この分光された回折光１５ｂが基材３１の表面３１ａから出射される。
【００４２】
一方、回折格子３３は三次元形状の凹状反射部３２１ａに形成されているため、この回折格子３３で回折されて出射する回折光１５ｂの輝度を凹状反射面３２１ａの形状及び配列状態に応じて変化させる。すなわち、基材３１の表面３１ａから出射される回折光１５ｂの輝度は１／ｆゆらぎの関数ｆ（ｘ）に応じて不規則に変化する明暗パターンを生じさせるとともに光波長のシフトによる色収差を生じさせる。これにより、装飾用パネル３０の表面には、図１に示すモルフォ蝶をデザイン化してなる装飾模様３２が回折格子３３で分光された回折光色、例えば青色に発色されて表示される。すなわち、基材３１の表面３１ａには、凹状反射面３２１ａに応じて不規則に変化する光の明暗と回折格子３３で分光された光色とが合成された濃淡色に装飾模様３２が発色することになる。
【００４３】
上記のような本実施の形態３に示す装飾用パネル３０によれば、基材３１の光入射側である表面３１ａと反対の面である裏面３１ｂに多数の半球型を呈する三次元形状の凹状反射面３２１ａを基材３１の裏面３１ｂに沿い二次元方向に連続して配列することで装飾模様３２を構成し、凹状反射面３２１ａの空気との界面には回折格子３３を形成し、この回折格子３３により基材３１の表面３１ａに入射される可視領域の入射光１５ａから、回折格子３３の溝深さとデューティ比（溝周期に対する溝幅）などで決まる特定波長の光を回折により分光し、この分光された回折光を基材３１の表面３１ａから出射することで装飾模様３２を発色するとともに、回折光１５ｂによる装飾模様３２の発色輝度に凹状反射面３２１ａの１／ｆゆらぎの関数ｆ（ｘ）に応じて変化する明暗を生じさせるように構成したので、基材３１に形成された装飾模様３２を可視領域の光を利用して任意の色に発色できるとともに、装飾模様３２の表示色に１／ｆゆらぎの関数ｆ（ｘ）に応じた濃淡を付与することができ、これにより、装飾用パネル３０に対して１／ｆゆらぎによる変化に富んだ見栄えの良い光学的装飾を施すことができ、併せて、装飾用パネル３０を見る者の視覚に作用して、癒し、くつろぎ、または安らぎを与える光学的装飾効果を発揮させることができる。
（実施の形態４）
【００４４】
次に、本発明にかかる装飾用パネルの実施の形態４について図１４及び図１５を参照して説明する。
図１４は本発明の実施の形態４における装飾用パネルの要部の拡大断面図、図１５は同じく実施の形態４における装飾用パネルの要部の拡大断面図である。
この実施の形態４は、上記実施の形態１における装飾用パネル１０の装飾模様１２を構成する三次元形状の反射部１２１の変形例を示すもので、この三次元形状の反射部１２１は、図４及び図５に示す場合と同様に、三角屋根型の基本形状に１／ｆゆらぎを付与することにより、三角屋根型の三次元形状に造形された、二次元方向に連続する凹状反射面１２１ａを有している。また、装飾模様１２の表面（空気との界面）を含む基材１１の裏面１１ｂのうち、少なくとも装飾模様１２の表面（空気との界面）には回折格子１３が形成されている。また、回折格子１３の表面（空気との界面）はの反射膜１４でコーティングされている。さらに、基材１１の光入射側である表面１１ａには、木目や花柄または幾何学模様などの加飾用の模様パターンを有する半透明もしくは透明な加飾層１８が形成されている。
【００４５】
このような第４の実施の形態における装飾用パネルによれば、基材１１の光入射側表面１１ａに、模様パターンを有する加飾層１８を形成したので、加飾層１８の模様パターンに微小反射部１２１で生成された反射光による１／ｆゆらぎのランダムに変化する光の明暗を付加され、これにより、装飾模様１２に立体感を付与し、より見栄えの装飾用パネルを提供できる。
（実施の形態５）
【００４６】
次に、本発明にかかる装飾用パネルの実施の形態５について、図１６を参照して説明する。
図１６は本発明の実施の形態５における装飾用パネルの三次元形状の反射部及び回折格子の光に対する作用を模式的に示す拡大断面図である。
この実施の形態５に示す装飾用パネル４０は、図１６に示すように、アクリルやポリカーボネートなどの透明な合成樹脂材またはガラス等の透明材または不透明材からなる一定厚さの板状の基材４１を備える。この基材４１の光入射側である一方の面４１ａには、例えばモルフォ蝶などをデザイン化してなる装飾模様４２が形成されている。また、この装飾模様４２の表面（空気との界面）には、装飾模様４２を含む装飾用パネル４０全体をカラー表示するための回折格子４３が形成されている。
なお、装飾用パネル４０の照明光１５には、各種照明灯の光または太陽光等の自然光などが用いられる。
【００４７】
前記装飾模様４２は、光学装飾膜４３との界面である基材４１の一方の面４１ａに形成された多数の三次元形状を呈する凸状反射部４２１を一方の面４１ａに沿い二次元方向に連続して配列することで構成される。この凸状反射部４２１は、基材４１に入射される入射光を反射または透過するとともに当該反射する光の輝度に１／ｆゆらぎの明暗を生じさせて装飾模様４２に光の明暗を付けるものである。また、回折格子４３は、この回折格子４３に入射される可視領域の入射光のうち、特定の色の波長の光を回折により分光して基材４１と反対の方向へ回折光として反射させる。これにより、前記光の明暗に合わせて濃淡が生じるように装飾模様４２を上記回折光の色に発色表示するように構成されている。
【００４８】
このような本実施の形態５に示す装飾用パネル４０において、図１６に示すように、基材４１の回折格子４３側が照明光１５により照射されると、この照明光１５は入射光１５ａとなって回折格子４３及び三次元形状の凸状反射部４２１に入射される。ここで、回折格子４３に入射した可視領域の入射光１５ａから、回折格子３３の溝深さとデューティ比（溝周期に対する溝幅）などで決まる波長の光、例えば赤、緑、青などに相当する特定の波長の光が回折により分光され、この分光された回折光１５ｂが基材４１の表面３から出射される。
【００４９】
一方、回折格子４３は三次元形状の凹状反射部４２１に形成されているため、この回折格子４３で回折されて出射する回折光１５ｂの輝度を凹状反射面４２１の形状及び配列状態に応じて変化させる。すなわち、基材４１の表面から出射される回折光１５ｂの輝度は１／ｆゆらぎの関数ｆ（ｘ）に応じて不規則に変化する明暗パターンを生じさせるとともに光波長のシフトによる色収差を生じさせる。これにより、装飾用パネル４０の表面には、図１に示すモルフォ蝶をデザイン化してなる装飾模様４２が回折格子４３で分光された回折光色、例えば青色に発色されて表示される。すなわち、基材４１の表面には、凹状反射面４２１に応じて不規則に変化する光の明暗と回折格子４３で分光された光色とが合成された濃淡色に装飾模様４２が発色することになる。
【００５０】
このような本実施の形態５に示す装飾用パネル４０によれば、透明または不透明な板状の基材４１の一方の面に多数の三次元形状の凸状反射部４２１を前記一方の面４１ａに沿い連続して配列することで装飾模様４２を構成し、この三次元形状の凸状反射部の表面である空気との界面に回折格子４３を形成し、この回折格子４３により基材４１の表面に入射される可視領域の入射光１５ａから、特定波長の光を回折により分光し、この分光された回折光を基材４１の表面から出射することで装飾模様４２を発色するとともに、回折光１５ｂによる装飾模様４２の発色輝度に凸状反射面４２１の１／ｆゆらぎの関数ｆ（ｘ）に応じて変化する明暗を生じさせるように構成したので、基材４１に形成された装飾模様４２を可視領域の光を利用して任意の色に発色できるとともに、装飾模様４２の表示色に１／ｆゆらぎの関数ｆ（ｘ）に応じた濃淡を付与することができ、これにより、装飾用パネル４０に対して１／ｆゆらぎによる変化に富んだ見栄えの良い光学的装飾を施すことができ、併せて装飾用パネル４０を見る者の視覚に作用して、癒し、くつろぎ、または安らぎを与える光学的装飾効果を発揮させることができる。
（実施の形態６）
【００５１】
次に、本発明にかかる装飾用パネルの実施の形態５について、図１７を参照して説明する。
図１７は、上記図１０に示す実施の形態２に示す装飾用パネルの変形例を示すものである。この図１７において、図１０と同一の構成要素には同一符号を付して、その構成説明を省略し、図１０と異なる部分を重点に述べる。
【００５２】
すなわち、図１７から明らかなように、回折格子２３の表面（空気との界面）に、蒸着などの手法によりＡｌ，Ａｕ等の反射膜２４を形成したところにある。
このような本実施の形態６によれば、上記実施の形態１〜５と同様な作用効果が得られるほか、回折格子２３を構成する溝の表面を反射膜２４でコーティングしたので、回折光の回折効率を向上できる。これにより、装飾用パネル２０の光学的装飾性を更に向上できる。
（実施の形態７）
【００５３】
次に、本発明の装飾用パネルにおける回折格子の他の実施の形態について、図１８を参照して説明する。
本発明にかかる回折格子は上記実施の形態に示す三角波状溝のものに限らず、図１８（ａ）に示すように鋸歯状溝の回折格子５１１、図１８（ｂ）に示すように正弦波状溝の回折格子５１２、図１８（ｃ）に示すように矩形状溝の回折格子５１３の何れかの形状の回折格子でもよいほか、三角波状溝、鋸歯状溝、正弦波状溝および矩形状溝の組み合わせからなる回折格子であってもよい。
【００５４】
なお、上記実施の形態では、基材に無色透明な材質または不透明な材質により成形した場合について説明したが、本発明はこれに限らず、基材を有色透明な材質もしくは有色不透明な材質で成形することも可能である。この場合、装飾用パネルの見栄えを色彩の面から強調することができる。また、基材を有色不透明な材質で成形した場合、装飾模様及び回折格子は基材の光入射側の表面に形成される。
【００５５】
また、本発明の装飾用パネルにおける三次元形状の反射部の基本形状は、上記実施の形態に示した三角屋根型、台形屋根型、半球屋根型のものに限らず、円錐形、円筒形など、反射部での反射光の輝度に不規則に変化する明暗を生じさせることができる三次元形状のものであれば、どのような形状のものでも良い。
【００５６】
また、本発明の装飾用パネルにおける反射部を形成する三次元形状の凹状反射面は、数２に示す１／ｆゆらぎの関数で決定される形状のものに限らず、乱数表を利用して凹状反射面の形状を決定するようにすることもできる。
【００５７】
また、本発明の装飾用パネルに形成される装飾模様は、上記実施の形態に示したモルフォ蝶をデザイン化したものに限らず、車両用インストルメントパネルの装飾または家具の扉表面や引き出し用鏡板の装飾、携帯電話機本体の表面の装飾、電化製品の表面の装飾などに使用される装飾用パネルや、文字、ロゴマーク、木目などをデザイン化したものであってもよい。
【図面の簡単な説明】
【００５８】
【図１】本発明にかかる実施の形態１を示す装飾用パネルの平面図である。
【図２】図１の２−２線に沿う拡大断面図である。
【図３】本発明の実施の形態１における装飾用パネルの回折格子を省略して三次元形状の反射部を基材の裏面側から見た時の一例を示す一部拡大斜視図である。
【図４】図３の４−４線に沿う拡大断面図である。
【図５】図３の５−５線に沿う拡大断面図である。
【図６】本発明の実施の形態１における装飾用パネルの三次元形状の反射部及び回折格子の光に対する作用を模式的に示す断面図である。
【図７】本発明の１／ｆゆらぎ関数で決定される凹状反射面の形状特性を表した場合の一例を示すグラフである。
【図８】本発明の実施の形態２における装飾用パネルの回折格子を省略して三次元形状の反射部を基材の裏面側から見た時の他の例を示す一部拡大斜視図である。
【図９】図８の８−８線に沿う拡大断面図である。
【図１０】図８の１０−１０線に沿う拡大断面図である。
【図１１】本発明の実施の形態３における装飾用パネルの回折格子を省略して三次元形状の反射部を基材の裏面側から見た時の他の例を示す一部拡大斜視図である。
【図１２】図１１の１２−１２線に沿う拡大断面図である。
【図１３】図１１の１３−１３線に沿う拡大断面図である。
【図１４】本発明の実施の形態４における装飾用パネルの要部の拡大断面図である。
【図１５】本発明の実施の形態４における装飾用パネルの要部の拡大断面図である。
【図１６】本発明の実施の形態５における装飾用パネルの三次元形状の反射部及び回折格子の光に対する作用を模式的に示す断面図である。
【図１７】上記図１０に示す実施の形態２に示す装飾用パネルの変形例を示す要部の拡大断面図である。
【図１８】本発明の装飾用パネルにおける回折格子の他の実施の形態を示す説明用断面図である。
【符号の説明】
【００５９】
１０，２０，３０，４０    装飾用パネル
１１，２１，３１、４１    基材
１１ａ，２１ａ，３１ａ    表面
１１ｂ，２１ｂ，３１ｂ    裏面
１２，２２，３２，４２    装飾模様
１２１，２２１，３２１，４２１    三次元形状の反射部
１２１ａ、２２１ａ，３２１ａ    凹状反射面
４２１    凸状反射部
１３，２３，３３，４３    回折格子
５１１，５１２，５１３    回折格子
２４    反射膜
１８    加飾層
【図１】
0005351412.tif 000003
【図２】
0005351412.tif 000004
【図３】
0005351412.tif 000005
【図４】
0005351412.tif 000006
【図５】
0005351412.tif 000007
【図６】
0005351412.tif 000008
【図７】
0005351412.tif 000009
【図８】
0005351412.tif 000010
【図９】
0005351412.tif 000011
【図１０】
0005351412.tif 000012
【図１１】
0005351412.tif 000013
【図１２】
0005351412.tif 000014
【図１３】
0005351412.tif 000015
【図１４】
0005351412.tif 000016
【図１５】
0005351412.tif 000017
【図１６】
0005351412.tif 000018
【図１７】
0005351412.tif 000019
【図１８】
0005351412.tif 000020